(57)【要約】【課題】  従来のスーパーマーケットやコンビニエンスストアなどの店舗では、空調機による暖房や冷房による空気送風範囲がショーケースの開口部に当たっていた。また、ショーケースのエアーカーテンの冷気がショーケース前面の通路に漏れて、買い物客らにとっては寒く感じ不快であった。また、照明装置近傍の温度は高く効率の悪い状態で使用されていた。また、照明装置の接続された電力系統の使用電力は時間帯によってアンバランスであった。【解決手段】  店舗内の空調機よりの吹き出し空気の風域分布がショーケースのエアーカーテンにはかからないが前面通路にはかかるように空調機あるいは送風機を設置するようにした。また、照明装置近傍の温度に基づいて空調装置および照明装置の入力を制御するようにした。また、使用電力量や電力料金に応じて電力系統を変更するようにした。【選択図】  図３
2005308388.tif 000002
【特許請求の範囲】
【請求項１】
室内に設置され開口部を有し内部に食品等を冷却保存する冷蔵・冷凍装置と、前記冷蔵・冷凍装置が設置される室内に設置され、前記室内に空気を吹き出し又は前記室内の空気を循環させ前記室内の空調あるいは前記室内の温度分布を改善するための空調装置と、前記冷蔵・冷凍装置の前記開口部内の温度を検出する冷凍装置開口内部温度検出手段と、前記冷凍装置開口内部温度検出手段よりの信号により前記冷蔵・冷凍装置の運転状態を把握し制御する冷凍装置運転制御手段と、前記空調装置の運転状態を把握し制御する空調装置運転制御手段と、前記冷凍装置運転制御手段よりの信号および前記空調装置運転制御手段よりの信号を受け取り各制御手段に内容を送信するコントローラと、前記冷凍装置運転制御手段と前記コントローラ及び前記空調装置運転制御手段と前記コントローラを接続する電話回線または電灯線または無線などの通信手段と、を備えたことを特徴とする熱機器装置。
【請求項２】
冷凍装置運転制御手段が冷却不足と判断した時は、空調装置をＯＮにして室内を冷却するようにしたことを特徴とする請求項１に記載の熱機器装置。
【請求項３】
空調装置より吹き出される空気の送風範囲を冷蔵・冷凍装置の開口部に及ぶようにしたことを特徴とする請求項１に記載の熱機器装置。
【請求項４】
電話回線または電灯線または無線などの通信手段によって室外のサービスセンタや携帯電話へ通報または室外より空調装置の運転状態または冷蔵・冷凍装置の運転状態を制御するようにしたことを特徴とする請求項１乃至請求項３のうちの１項に記載の熱機器装置。
【請求項５】
室内に設置され前記室内に空気を吹き出し又は前記室内の空気を循環させ前記室内の空調あるいは前記室内の温度分布を改善するための空調装置と、前記室内に設置され前記室内の照明を行う照明装置と、前記照明装置近傍に設置され前記照明装置近傍の温度を検出する温度検出手段と、前記温度検出手段より検出された温度情報をもとに前記空調装置の運転を制御する空調装置運転制御手段と、を備えたことを特徴とする空調・照明装置。
【請求項６】
温度検出手段より検出した温度があらかじめ設定された温度範囲外のときは、空調装置の運転を開始するようにしたことを特徴とする請求項５に記載の空調・照明装置。
【請求項７】
温度検出手段にて検出した温度があらかじめ設定された温度範囲外のときは、空調装置より吹き出される空気の少なくとも一部を照明装置の近傍に向けるようにしたことを特徴とする請求項５または請求項６に記載の空調・照明装置。
【請求項８】
室内に設置され前記室内に空気を吹き出し又は前記室内の空気を循環させ前記室内の空調あるいは前記室内の温度分布を改善するための空調装置と、前記室内に設置され前記室内の照明を行う照明装置と、前記空調装置の運転状態を制御する空調装置運転制御手段と、前記空調装置運転制御手段よりの情報に基づいて前記照明装置へ入力される入力値を制御する照明制御手段と、を備えたことを特徴とする空調・照明装置。
【請求項９】
照明装置近傍に設置され前記照明装置近傍の温度を検出する温度検出手段と、前記温度検出手段により検出された温度にもとづいて前記照明装置へ入力される入力値を制御する照明制御手段と、を備えたことを特徴とする請求項５乃至請求項８のうちの１項に記載の空調・照明装置。
【請求項１０】
室内の空気を吸い込む空気吸い込み口と、前記空気吸い込み口の温度を検出する吸い込み温度検出手段とを有する空調装置を備え、照明装置近傍の温度を検出する温度検出手段を前記吸い込み温度検出手段としたことを特徴とする請求項５乃至請求項７のうちの１項または請求項９に記載の空調・照明装置。
【請求項１１】
室内に空気を吹き出し又は前記室内の空気を循環させ前記室内の空調あるいは前記室内の温度分布を改善するための空調装置と、前記室内の照明を行う照明装置と、前記照明装置近傍に設置され前記照明装置近傍の温度を検出する温度検出手段と、前記空調装置の運転状態を把握し運転を制御し運転状態に異常がないかを判断する空調装置運転制御手段と、前記照明装置へ入力される入力値を制御するとともに照明装置に異常がないかを判断する照明制御手段と、前記空調装置運転制御手段よりの信号および前記照明制御手段よりの信号を受け取り各制御手段に内容を送信するコントローラと、前記空調装置運転制御手段と前記コントローラを接続する電灯線、電話回線、無線などの通信手段と、前記照明制御手段と前記コントローラを接続する電灯線、電話回線、無線などの通信手段と、を備えたことを特徴とする空調・照明装置。
【請求項１２】
照明制御手段、空調装置運転制御手段および温度検出手段のうち少なくとも１つが異常と判断したときは前記空調装置が設置されている室内よりも外部に通報する、または前記空調装置が設置されている室内よりも外部から前記照明制御手段又は前記空調装置運転制御手段を制御するようにしたことを特徴とする請求項１１に記載の空調・照明装置。
【請求項１３】
空調装置電源、冷蔵・冷凍装置電源、照明装置電源などの各機器の電源に電力を供給する複数の電力系統と、前記電力系統の消費電力を検知する消費電力検知手段と、前記電力系統の電力料金および契約電力量を記憶する料金記憶手段と、前記消費電力検知手段より検知された電力使用量の情報を前記料金記憶手段に記憶されている前記電力系統の契約電力量および電力料金と比較しどの電力系統を使用した方が良いかを判断する余裕電力量演算手段と、前記照明装置電源に接続された電灯線の電力系統を切り替える電源切替手段と、前記余裕電力量演算手段の情報をもとにどの電力系統に切り替えるかを前記電源切替手段に指示をする系統切替制御手段と、を備えたことを特徴とする照明装置。
【請求項１４】
系統切替制御手段よりの制御信号を外部に送信または受信する系統制御通信インターフェースを備え、外部より照明装置電源に接続された電灯線の電力系統を切り替えるようにしたことを特徴とする請求項１３に記載の照明装置。
【請求項１５】
空調装置電源、冷蔵・冷凍装置電源、照明装置電源などの各機器の電源に供給される電力の消費電力量を検知する消費電力検知手段と、前記消費電力検知手段により検知された各機器の消費電力量の合計とあらかじめ設定された目標入力値とを比較して前記各機器の消費電力量が前記目標入力値を超えそうかどうかを判断する消費電力判断手段と、前記消費電力判断手段の情報に基づいて前記空調装置の設定温度を変更する空調装置運転制御手段と、前記消費電力判断手段の情報に基づいて前記照明装置の入力を変更する照明制御手段と、を備えたことを特徴とする空調・照明装置。
【請求項１６】
電話回線または電灯線または無線などの通信手段によって室外のサービスセンタや携帯電話へ通報または室外より空調機運転制御手段、照明制御手段を制御するようにしたことを特徴とする請求項１５に記載の空調・照明装置。
【請求項１７】
室内に設置され開口部を有し内部に食品等を冷却保存する冷蔵・冷凍装置と、前記室内に空気を吹き出し又は前記室内の空気を循環させ前記室内の空調あるいは前記室内の温度分布を改善するための空調装置と、を有する熱機器装置において、前記冷蔵・冷凍装置の前記開口部内の温度を検出する冷凍装置開口内部温度検出ステップと、前記冷凍装置開口内部温度検出ステップよりの信号により前記冷蔵・冷凍装置の運転状態を把握し冷却不足かどうかを判断する冷凍装置運転制御ステップと、前記冷凍装置運転制御ステップよりの信号に基づいて前記空調装置の運転を制御し運転モードを変更する空調装置運転制御ステップと、を備えたことを特徴とする熱機器装置の運転方法。
【請求項１８】
室内に空気を吹き出し又は前記室内の空気を循環させ前記室内の空調あるいは前記室内の温度分布を改善するための空調装置と、前記室内の照明を行う照明装置と、を有する空調・照明装置において、前記照明装置近傍の温度を検出する温度検出ステップと、前記温度検出ステップにより検出された温度があらかじめ設定された温度範囲内にあるかどうかを判断する温度判断ステップと、前記温度判断ステップよりの信号に基づいて空調装置の運転状態を制御する空調装置運転制御ステップと、を備えたことを特徴とする空調・照明装置の運転方法。
【請求項１９】
空調装置運転制御ステップよりの情報に基づいて照明装置へ供給される入力を制御し変更する照明入力制御ステップと、を備えたことを特徴とする請求項１８に記載の空調・照明装置の運転方法。
【請求項２０】
室内あるいは室外に設置され前記室内あるいは室外の照明を行う照明装置において、前記照明装置近傍の温度を検出する温度検出ステップと、前記温度検出ステップにより検出された温度に基づいて前記照明装置へ供給される入力を制御し変更する照明入力制御ステップと、を備えたことを特徴とする照明装置の運転方法。
【発明の詳細な説明】
【技術分野】
【０００１】
本発明は、室内に設置されたショーケースと空調装置などの熱機器装置の配置方法およびその運転方法、空調・照明装置およびその運転方法に関するものである。
【背景技術】
【０００２】
従来、スーパーマーケットやコンビニエンスストアなどの店舗では、低温食品用の冷蔵・冷凍ショーケースが店舗内に設置されており、また、店舗内の空調（暖房や冷房など）は店舗内に設置された空調装置により行われていた。また、店舗内には他に照明装置が設けられ店内の照明を行っていた。しかし、店内の構成によって各機器の配置が決められるため、例えば空調装置とショーケースは無関係に配置されていた。
【０００３】
また、店舗内の冷蔵・冷凍ショーケース、空調装置あるいは照明装置の運転制御などに関しては例えば特開平５−２３１７５８号公報が開示されている。しかしながら、空調装置と冷蔵・冷凍ショーケースの配置に関しては、各機器に設けられた個別のセンサーなどを用いて個々の機器を制御する方法しか記載されていない。また、店内照明に関しては屋外の照度によって室内の照明装置の照度を可変にする例が記載されている。また、店舗内の各機器をオンラインで接続し、異常時は本部に連絡する例が記載されている。
【０００４】
また、特開昭５９−９３１６４号公報にはショーケースのエアーカーテンの冷気漏れによる前面通路が冷やされるコールドアイル問題に関しての対応方法が記載されている。また、特開平８−１９３７２７号公報には室内の人員密度によって空調装置と照明装置を関連付けて制御する例が記載されている。
【発明の開示】
【発明が解決しようとする課題】
【０００５】
以上のように従来のスーパーマーケットやコンビニエンスストアなどの店舗では、空調装置による暖房や冷房を行うが、店舗内の温度分布は上下で１０℃程度の温度差になることが多く、買い物客にとっては不快であった。また、暖房時は対人高さ位置の温度を快適にすると、天井面では更に高温となり、空調装置の吹き出し温度を高くする必要があり無駄な暖房能力が必要で電気代が高くなっていた。
【０００６】
したがって、１ランク上の暖房能力の空調装置を使用しなければならない場合もあり、コスト、電気代とも必要以上に使用していた。また、前面に開口部を有したショーケースのエアーカーテンの冷気がショーケース前面の通路に漏れて、買い物客らにとっては寒く感じるコールドアイル問題に対しては、従来はショーケースの下面より背面通路を介して天井裏の空間に冷気を逃がすなどして対応していたが、構成が複雑でしかもコストがアップしていた。また、従来は空調装置とショーケースは無関係に配置されていたので、空調装置より吹き出された空気がエアーカーテンに当たってショーケース内部の冷却能力が低下し、また、無駄な冷却能力が必要であった。
【０００７】
また、照明装置と空調装置も無関係に配置されており照明装置近傍の温度と関連付けて照明装置の効率を最適にすることなど考えていないので、天井に取り付けられている照明の周囲温度は高く、照明効率の悪い温度帯での使用となっていた。また、照明装置の接続された電力系統の時間帯による使用量のアンバランスを改善することなど考えていなかった。また、空調装置、冷蔵・冷凍装置、照明装置などの組み合わせによる店舗全体での省エネについては考えていなかった。また、電力系統の時間帯による使用量のアンバランスを改善し契約電力量以下にすることなど考えていなかった。また、照明装置などの各機器の接続された電力系統を電力料金の安い電力系統に変更することなど考えていなかった。また、店舗内の各機器をオンラインで接続しているので、専用線を設置する必要があるためコストが高くなっていた。
【０００８】
本発明は、店舗などにおいて無駄なエネルギーの使用をなくすことを目的とする。また、無駄な冷・暖房を無くし省エネルギーな冷蔵・冷凍ショーケースと空調装置の配置方法を得ることを目的とする。また、ショーケースのエアーカーテンの冷気漏れによるショーケース前面通路の寒さによる不快感をなくすことを目的とする。また、ショーケースの無駄な冷却能力をなくすことを目的とする。
【０００９】
また、空調装置、冷蔵・冷凍装置および照明装置の効率的な運転方法を提供することを目的とする。また、照明装置などの接続されている電力系統を切り替えて各電力系統での使用電力の平準化を行うことを目的とする。また、電力使用料金の安い電力系統への変更を行うことを目的とする。また、空調装置、冷蔵・冷凍装置、照明装置などと電源切替制御との組み合わせによる店舗全体の低コスト化および省エネルギー化をを目的とする。また、各機器を低コストのネットワークで接続し、各機器からの通報あるいは外部から各機器を制御することを目的とする。
【課題を解決するための手段】
【００１０】
本発明の第１の発明は、室内に設置され開口部を有し内部に食品等を冷却保存する冷蔵・冷凍装置と、室内に空気を吹き出し又は室内の空気を循環させ室内の空調あるいは室内の温度分布を改善するための空調装置と、冷蔵・冷凍装置の開口部内の温度を検出する冷凍装置開口内部温度検出手段と、冷凍装置開口内部温度検出手段よりの信号により冷蔵・冷凍装置の運転状態を把握し制御する冷凍装置運転制御手段と、空調装置の運転状態を把握し制御する空調装置運転制御手段と、冷凍装置運転制御手段よりの信号および空調装置運転制御手段よりの信号を受け取り各制御手段に内容を送信するコントローラと、冷凍装置運転制御手段とコントローラ及び空調装置運転制御手段とコントローラを接続する電話回線または電灯線または無線などの通信手段と、を備えたものである。
【００１１】
本発明の第２の発明は、冷凍装置運転制御手段が冷却不足と判断した時は、空調装置をＯＮにして室内を冷却するようにしたものである。
【００１２】
本発明の第３の発明は、空調装置より吹き出される空気の送風範囲を冷蔵・冷凍装置の開口部に及ぶようにしたものである。
【００１３】
本発明の第４の発明は、電話回線または電灯線または無線などの通信手段によって室外のサービスセンタや携帯電話へ通報または室外より空調装置の運転状態または冷蔵・冷凍装置の運転状態を制御するようにしたものである。
【００１４】
本発明の第５の発明は、室内に設置され室内に空気を吹き出し又は室内の空気を循環させ室内の空調あるいは室内の温度分布を改善するための空調装置と、室内に設置され室内の照明を行う照明装置と、照明装置近傍に設置され照明装置近傍の温度を検出する温度検出手段と、温度検出手段より検出された温度情報をもとに空調装置の運転を制御する空調装置運転制御手段と、を備えたものである。
【００１５】
本発明の第６の発明は、温度検出手段より検出した温度があらかじめ設定された温度範囲外のときは、空調装置の運転を開始するようにしたものである。
【００１６】
本発明の第７の発明は、温度検出手段にて検出した温度があらかじめ設定された温度範囲外のときは、空調装置より吹き出される空気の少なくとも一部を照明装置の近傍に向けるようにしたものである。
【００１７】
本発明の第８の発明は、室内に設置され室内に空気を吹き出し又は室内の空気を循環させ室内の空調あるいは室内の温度分布を改善するための空調装置と、室内に設置され室内の照明を行う照明装置と、空調装置の運転状態を制御する空調装置運転制御手段と、空調装置運転制御手段よりの情報に基づいて照明装置へ入力される入力値を制御する照明制御手段と、を備えたものである。
【００１８】
本発明の第９の発明は、照明装置近傍に設置され照明装置近傍の温度を検出する温度検出手段と、温度検出手段により検出された温度にもとづいて照明装置へ入力される入力値を制御する照明制御手段と、を備えたものである。
【００１９】
本発明の第１０の発明は、室内の空気を吸い込む空気吸い込み口と、空気吸い込み口の温度を検出する吸い込み温度検出手段とを有する空調装置を備え、照明装置近傍の温度を検出する温度検出手段を吸い込み温度検出手段としたものである。
【００２０】
本発明の第１１の発明は、室内に空気を吹き出し又は室内の空気を循環させ室内の空調あるいは室内の温度分布を改善するための空調装置と、室内に設置され室内の照明を行う照明装置と、照明装置近傍に設置され照明装置近傍の温度を検出する温度検出手段と、空調装置の運転状態を把握し運転を制御し運転状態に異常がないかを判断する空調装置運転制御手段と、照明装置へ入力される入力値を制御するとともに照明装置に異常がないかを判断する照明制御手段と、空調装置運転制御手段よりの信号および照明制御手段よりの信号を受け取り各制御手段に内容を送信するコントローラと、空調装置運転制御手段とコントローラを接続する電灯線、電話回線、無線などの通信手段と、照明制御手段とコントローラを接続する電灯線、電話回線、無線などの通信手段と、を備えたものである。
【００２１】
本発明の第１２の発明は、照明制御手段、空調装置運転制御手段および温度検出手段のうち少なくとも１つが異常と判断したときは空調装置が設置されている室内よりも外部に通報する、または空調装置が設置されている室内よりも外部から照明制御手段又は空調装置運転制御手段を制御するようにしたものである。
【００２２】
本発明の第１３の発明は、空調装置電源、冷蔵・冷凍装置電源、照明装置電源などの各機器の電源に電力を供給する複数の電力系統と、電力系統の消費電力を検知する消費電力検知手段と、電力系統の電力料金および契約電力量を記憶する料金記憶手段と、消費電力検知手段より検知された電力使用量の情報を料金記憶手段に記憶されている電力系統の契約電力量および電力料金と比較しどの電力系統を使用した方が良いかを判断する余裕電力量演算手段と、照明装置電源に接続された電灯線の電力系統を切り替える電源切替手段と、余裕電力量演算手段の情報をもとにどの電力系統に切り替えるかを電源切替手段に指示をする系統切替制御手段と、を備えたものである。
【００２３】
本発明の第１４の発明は、系統切替制御手段よりの制御信号を外部に送信または受信する系統制御通信インターフェースを備え、外部より照明装置電源に接続された電灯線の電力系統を切り替えるようにしたものである。
【００２４】
本発明の第１５の発明は、空調装置電源、冷蔵・冷凍装置電源、照明装置電源などの各機器の電源に供給される電力の消費電力量を検知する消費電力検知手段と、消費電力検知手段により検知された各機器の消費電力量の合計とあらかじめ設定された目標入力値とを比較して各機器の消費電力量が目標入力値を超えそうかどうかを判断する消費電力判断手段と、消費電力判断手段の情報に基づいて空調装置の設定温度を変更する空調装置運転制御手段と、消費電力判断手段の情報に基づいて照明装置の入力を変更する照明制御手段と、を備えたものである。
【００２５】
本発明の第１６の発明は、電話回線または電灯線または無線などの通信手段によって室外のサービスセンタや携帯電話へ通報または室外より空調機運転制御手段、照明制御手段を制御するようにしたものである。
【００２６】
本発明の第１７の発明は、室内に設置され開口部を有し内部に食品等を冷却保存する冷蔵・冷凍装置と、室内に空気を吹き出し又は室内の空気を循環させ室内の空調あるいは室内の温度分布を改善するための空調装置と、を有する熱機器装置において、冷蔵・冷凍装置の開口部内の温度を検出する冷凍装置開口内部温度検出ステップと、冷凍装置開口内部温度検出ステップよりの信号により冷蔵・冷凍装置の運転状態を把握し冷却不足かどうかを判断する冷凍装置運転制御ステップと、冷凍装置運転制御ステップよりの信号に基づいて空調装置の運転を制御し運転モードを変更する空調装置運転制御ステップと、を備えたものである。
【００２７】
本発明の第１８の発明は、室内に設置され室内に空気を吹き出し又は室内の空気を循環させ室内の空調あるいは室内の温度分布を改善するための空調装置と、室内に設置され室内の照明を行う照明装置と、を有する空調・照明装置において、照明装置近傍の温度を検出する温度検出ステップと、温度検出ステップにより検出された温度があらかじめ設定された温度範囲内にあるかどうかを判断する温度判断ステップと、温度判断ステップよりの信号に基づいて空調装置の運転状態を制御する空調装置運転制御ステップと、を備えたものである。
【００２８】
本発明の第１９の発明は、空調装置運転制御ステップよりの情報に基づいて照明装置へ供給される入力を制御し変更する照明入力制御ステップと、を備えたものである。
【００２９】
本発明の第２０の発明は、室内あるいは室外に設置され室内あるいは室外の照明を行う照明装置において、照明装置近傍の温度を検出する温度検出ステップと、温度検出ステップにより検出された温度に基づいて照明装置へ供給される入力を制御し変更する照明入力制御ステップと、を備えたものである。
【発明の効果】
【００３０】
以上のように本発明の第１の発明は、室内に設置され開口部を有し内部に食品等を冷却保存する冷蔵・冷凍装置と、室内に空気を吹き出し又は室内の空気を循環させ室内の空調あるいは室内の温度分布を改善するための空調装置と、冷蔵・冷凍装置の開口部内の温度を検出する冷凍装置開口内部温度検出手段と、冷凍装置開口内部温度検出手段よりの信号により冷蔵・冷凍装置の運転状態を把握し制御する冷凍装置運転制御手段と、空調装置の運転状態を把握し制御する空調装置運転制御手段と、冷凍装置運転制御手段よりの信号および空調装置運転制御手段よりの信号を受け取り各制御手段に内容を送信するコントローラと、冷凍装置運転制御手段とコントローラ及び空調装置運転制御手段とコントローラを接続する電話回線または電灯線または無線などの通信手段と、を備えたので、既存の通信手段にてネットワークが構築でき安価な熱機器装置を得ることができる。
【００３１】
本発明の第２の発明は、冷凍装置運転制御手段が冷却不足と判断した時は、空調装置をＯＮにして室内を冷却するようにしたので、冷蔵・冷凍装置が冷却不足になっても冷蔵・冷凍装置の設置してある室内が冷却されるため、冷蔵・冷凍装置の開口部内に冷却保存されている食品等の損傷が抑制できる熱機器装置が得られる。
【００３２】
本発明の第３の発明は、空調装置より吹き出される空気の送風範囲を冷蔵・冷凍装置の開口部に及ぶようにしたので、空調装置の冷却された空気が直接冷蔵・冷凍装置の開口部内に冷却保存されている食品などに当たるため開口部内に当てずに室内を冷却する場合に比べて食品等の損傷がさらに抑制できる効果を有する熱機器装置が得られる。
【００３３】
本発明の第４の発明は、電話回線または電灯線または無線などの通信手段によって室外のサービスセンタや携帯電話へ通報または室外より空調装置の運転状態または冷蔵・冷凍装置の運転状態を制御するようにしたので、即座にサービスが受けれると同時に外出先でもショーケースなどの異常が確認でき早急に対応可能となる信頼性の高い熱機器装置が得られる。
【００３４】
本発明の第５の発明は、室内に設置され室内に空気を吹き出し又は室内の空気を循環させ室内の空調あるいは室内の温度分布を改善するための空調装置と、室内に設置され室内の照明を行う照明装置と、照明装置近傍に設置され照明装置近傍の温度を検出する温度検出手段と、温度検出手段より検出された温度情報をもとに空調装置の運転を制御する空調装置運転制御手段と、を備えたので、照明装置が照明効率の良い温度条件で使用でき、効率のよい照明装置が得られる。
【００３５】
本発明の第６の発明は、温度検出手段より検出した温度があらかじめ設定された温度範囲外のときは、空調装置の運転を開始するようにしたので、照明装置近傍の温度に応じて必要時のみ空調装置を運転をすることができ余分な電気代を必要としない低コストな空調装置が得られる。
【００３６】
本発明の第７の発明は、温度検出手段にて検出した温度があらかじめ設定された温度範囲外のときは、空調装置より吹き出される空気の少なくとも一部を照明装置の近傍に向けるようにしたので、照明装置近傍の温度に応じて必要時のみ空調装置の吹き出し空気の一部を照明装置の方に向けるため室内の温度分布をほとんど変えずに照明装置を効率の良い状態で運転できる空調装置が得られる。
【００３７】
本発明の第８の発明は、室内に設置され室内に空気を吹き出し又は室内の空気を循環させ室内の空調あるいは室内の温度分布を改善するための空調装置と、室内に設置され室内の照明を行う照明装置と、空調装置の運転状態を制御する空調装置運転制御手段と、空調装置運転制御手段よりの情報に基づいて照明装置へ入力される入力値を制御する照明制御手段と、を備えたので、空調装置により照明装置近傍の温度分布が改善され照明効率が良い状態で使用できるため照明効率が向上した分だけ入力を低減でき低コストな空調・照明装置が得られる。
【００３８】
本発明の第９の発明は、照明装置近傍に設置され照明装置近傍の温度を検出する温度検出手段と、温度検出手段により検出された温度にもとづいて照明装置へ入力される入力値を制御する照明制御手段と、を備えたので、照明装置近傍の温度による照明効率に応じて照明装置の明るさを変更することができるため無駄な明るさがなくせる分だけ入力を低減でき低コストな空調・照明装置が得られる。
【００３９】
本発明の第１０の発明は、室内の空気を吸い込む空気吸い込み口と、空気吸い込み口の温度を検出する吸い込み温度検出手段とを有する空調装置を備え、照明装置近傍の温度を検出する温度検出手段を吸い込み温度検出手段としたので、照明装置近傍の温度検出を既存の空調装置の吸い込み温度検出手段にて代用できるため別途温度検出手段を設け取り付ける必要がなくなり低コストで取り付け時間の短縮できる空調・照明装置が得られる。
【００４０】
本発明の第１１の発明は、室内に空気を吹き出し又は室内の空気を循環させ室内の空調あるいは室内の温度分布を改善するための空調装置と、室内に設置され室内の照明を行う照明装置と、照明装置近傍に設置され照明装置近傍の温度を検出する温度検出手段と、空調装置の運転状態を把握し運転を制御し運転状態に異常がないかを判断する空調装置運転制御手段と、照明装置へ入力される入力値を制御するとともに照明装置に異常がないかを判断する照明制御手段と、空調装置運転制御手段よりの信号および照明制御手段よりの信号を受け取り各制御手段に内容を送信するコントローラと、空調装置運転制御手段とコントローラを接続する電灯線、電話回線、無線などの通信手段と、照明制御手段とコントローラを接続する電灯線、電話回線、無線などの通信手段と、を備えたので、既存の通信手段でネットワークが構築でき安価な空調・照明装置が得られる。
【００４１】
本発明の第１２の発明は、照明制御手段、空調装置運転制御手段および温度検出手段のうち少なくとも１つが異常と判断したときは空調装置が設置されている室内よりも外部に通報する、または空調装置が設置されている室内よりも外部から照明制御手段又は空調装置運転制御手段を制御するようにしたので、即座に異常であることを知り対応でき、また外出先にいながら照明装置および空調装置を制御でき信頼性の高い空調・照明装置が得られる。
【００４２】
本発明の第１３の発明は、空調装置電源、冷蔵・冷凍装置電源、照明装置電源などの各機器の電源に電力を供給する複数の電力系統と、電力系統の消費電力を検知する消費電力検知手段と、電力系統の電力料金および契約電力量を記憶する料金記憶手段と、消費電力検知手段より検知された電力使用量の情報を料金記憶手段に記憶されている電力系統の契約電力量および電力料金と比較しどの電力系統を使用した方が良いかを判断する余裕電力量演算手段と、照明装置電源に接続された電灯線の電力系統を切り替える電源切替手段と、余裕電力量演算手段の情報をもとにどの電力系統に切り替えるかを電源切替手段に指示をする系統切替制御手段と、を備えたので、安い電力系統が選択でき、低コストな空調・照明装置が得られる。
【００４３】
本発明の第１４の発明は、系統切替制御手段よりの制御信号を外部に送信または受信する系統制御通信インターフェースを備え、外部より照明装置電源に接続された電灯線の電力系統を切り替えるようにしたので、供給電源の切替を外部より制御でき、外出先にいながら現在の使用電源の状況を把握でき、供給電源の変更などを指示できる低コストな空調・照明装置が得られる。
【００４４】
本発明の第１５の発明は、空調装置電源、冷蔵・冷凍装置電源、照明装置電源などの各機器の電源に供給される電力の消費電力量を検知する消費電力検知手段と、消費電力検知手段により検知された各機器の消費電力量の合計とあらかじめ設定された目標入力値とを比較して各機器の消費電力量が目標入力値を超えそうかどうかを判断する消費電力判断手段と、消費電力判断手段の情報に基づいて空調装置の設定温度を変更する空調装置運転制御手段と、消費電力判断手段の情報に基づいて照明装置の入力を変更する照明制御手段と、を備えたので、室内全体としての電力の使用量が把握できるとともに、消費電力量が最小となるように室内温度、室内照明の明るさ、屋外照明の明るさを調整、変更することができ、店舗全体の電力消費量が低減され、しかも低コストな空調・照明装置が得られる。
【００４５】
本発明の第１６の発明は、電話回線または電灯線または無線などの通信手段によって室外のサービスセンタや携帯電話へ通報または室外より空調機運転制御手段、照明制御手段を制御するようにしたので、即座に室内全体の電力消費量が把握できるとともに、外出先からでも全体の入力値が目標値を超えないように調整・変更できる空調・照明装置が得られる。
【００４６】
本発明の第１７の発明は、室内に設置され開口部を有し内部に食品等を冷却保存する冷蔵・冷凍装置と、室内に空気を吹き出し又は室内の空気を循環させ室内の空調あるいは室内の温度分布を改善するための空調装置と、を有する熱機器装置において、冷蔵・冷凍装置の開口部内の温度を検出する冷凍装置開口内部温度検出ステップと、冷凍装置開口内部温度検出ステップよりの信号により冷蔵・冷凍装置の運転状態を把握し冷却不足かどうかを判断する冷凍装置運転制御ステップと、冷凍装置運転制御ステップよりの信号に基づいて空調装置の運転を制御し運転モードを変更する空調装置運転制御ステップと、を備えたので、冷蔵・冷凍装置が冷却不足になっても冷蔵・冷凍装置の設置してある室内が空調装置によって冷却されるため、冷蔵・冷凍装置の開口部内に冷却保存されている食品等の損傷が抑制できる熱機器装置の運転方法が得られる。
【００４７】
本発明の第１８の発明は、室内に設置され室内に空気を吹き出し又は室内の空気を循環させ室内の空調あるいは室内の温度分布を改善するための空調装置と、室内に設置され室内の照明を行う照明装置と、を有する空調・照明装置において、照明装置近傍の温度を検出する温度検出ステップと、温度検出ステップにより検出された温度があらかじめ設定された温度範囲内にあるかどうかを判断する温度判断ステップと、温度判断ステップよりの信号に基づいて空調装置の運転状態を制御する空調装置運転制御ステップと、を備えたので、照明装置近傍の温度に応じて必要時のみ空調装置を運転させ、また吹き出し空気の一部を照明装置の方に向けることができ室内の温度分布をほとんど変えずに照明装置を効率の良い状態で運転できる空調・照明装置の運転方法が得られる。
【００４８】
本発明の第１９の発明は、空調装置運転制御ステップよりの情報に基づいて照明装置へ供給される入力を制御し変更する照明入力制御ステップと、を備えたので、照明装置近傍の温度が照明効率の良い温度帯に改善されるため、必要な明るさまで入力を低減でき、低コストな空調・照明装置の運転方法が得られる。
【００４９】
本発明の第２０の発明は、室内あるいは室外に設置され室内あるいは室外の照明を行う照明装置において、照明装置近傍の温度を検出する温度検出ステップと、温度検出ステップにより検出された温度に基づいて照明装置へ供給される入力を制御し変更する照明入力制御ステップと、を備えたので、照明効率に応じた最適な明るさが得られ、無駄な入力を要しない低コストで省エネルギーな照明装置の運転方法が得られる。
【発明を実施するための最良の形態】
【００５０】
実施の形態１．
以下、本発明の実施の形態について説明する。図１は本発明の冷蔵・冷凍ショーケースと空調装置の設置位置について説明した図である。図において、１はス?パ?マーケットなどの店舗、２は食品等を開口内部に冷却保存する冷蔵・冷凍ショーケースであり前面の開口部にガラス扉を備え陳列棚の商品などを扉を開けて取りだすリーチインショーケースやウォークインショーケース、前面あるいは上面の開口部にガラス扉を備えないオープンショーケースなどがある。いずれのショーケースも、食品だけでなく釣り用の生きた餌や冷凍の餌あるいは冷却必要な物などを冷蔵、冷凍、氷温チルドなどの温度帯で冷却保存することができる。３は店舗１内に設けられた空調機（エアコン、クーラーなど）、送風機、扇風機、換気扇、吸気扇などの空調装置あるいは空調装置の空気吹き出し口、４は空調装置あるいは空調装置の空気吹き出し口より吹き出された空気の風域分布、５は冷蔵・冷凍ショーケース２の前面の開口部、６は冷蔵・冷凍ショーケース２の前面に設けられた通路、７は冷蔵・冷凍ショーケース２の内部に設けられ冷凍サイクルを構成する１部品である蒸発器、８は冷蔵・冷凍ショーケース２の内部に設けられ蒸発器７によって冷却された冷気を循環させる送風ファン、１０はショーケース２用の室外機である。
【００５１】
１４はショーケース２の外部からショーケース２の開口部５内へ侵入する侵入空気、１５はショーケース２よりショーケース２の外部に漏れる漏れ冷気、１６はショーケース２の開口部５の上部から下部へ冷気を流すことによって、開口部５内にショーケース２の外部より空気が侵入するのを防止し、また、ショーケース２の開口部５内の冷却された冷気がショーケース２の外部へ漏れるのを防止するためのエアーカーテンである。Ｈは空調装置の吹き出し口３から店舗１内の床までの直下距離，Ｌは吹き出し口３の床での直下位置とショーケース２の前面との距離、Ｖは吹き出し口３から吹き出される空気の風速である。
【００５２】
冷蔵・冷凍ショーケース２は、開口部５の内部に食品等を低温保存しており、蒸発器７で冷却された冷気はショーケース２の背面に設けられた風路１７を通って上部から下部にエアーカーテン１６として吹き出される。この冷風の大部分は送風ファン８により蒸発器７に送られ、再度冷却されショーケース２内を循環する。また、エアーカーテン１６として吹き出された冷気の一部はショーケース２の前面の通路６に漏れて漏れ冷気１５として、通路を通るお客様に寒さを感じさせるようになる。
【００５３】
また、空調装置の吹き出し口３より風速Ｖで吹き出された空気は広がりながら床面に到達する。この時に吹き出される空気のある高さでの送風幅と風速を表したのが風域分布４である。本実施の形態では風域分布４がショーケース２のエアーカーテン１６にかからないように距離Ｌを設定している。この風域分布４がエアーカーテン１６にかかるエアーカーテン１６が有効に作用せず、店舗１外の空気がショーケース２の開口部５内に侵入空気１４として侵入し熱負荷となり余分な電気代を支払わなければならない。
【００５４】
図２にオープンショーケースの熱負荷構成比率を表した図を示す。図２は、冷凍・空調便覧、新版第５版２巻機器編３５９頁に示されたもので、店舗におけるショーケースの種類とエアーカーテン１６を通しての入れ替わり空気負荷の構成比率について表したものである。図において開口部５から周囲空気が開口部５の内部に侵入することにより発生する熱負荷である入れ替わり空気負荷ｑ１は、断熱壁を侵入することによって発生する熱負荷である伝導熱負荷をｑ２、開口部５や開口部５を覆うガラス面から放射により侵入することによって発生する熱負荷である放射熱負荷をｑ３、ヒータ、庫内照明、ファンモータなどショーケース内部で発生する熱負荷である内部負荷をｑ４とすれば、入れ替わり空気負荷ｑ１の構成比率Ｑ１はＱ１＝ｑ１／（ｑ１＋ｑ２＋ｑ３＋ｑ４）で表される。
【００５５】
図より入れ替わり空気負荷ｑ１の構成比率Ｑ１が２２％?７７％と大きく、特に多段形の場合が平形よりも大きくなっている。このように、エアーカーテン１６を突き破って、空調装置の空気吹き出し口３の風域分布４がショーケース２の開口部５内部に侵入することによって入れ替わり空気負荷を増やすことは極力避けねば成らない。
【００５６】
しかしながら、本実施の形態では、風域分布４が開口部５内および開口部５内のエアーカーテン１６にかからないように空調装置あるいは空調装置の吹き出し口３を設置しているので、ショーケース２の開口部５内に侵入空気１４が侵入しないので、ショーケースの熱負荷構成比率の大部分を占める入れ替わり空気負荷が増加せず、余分な熱負荷がかからず省エネ運転が可能となる。
【００５７】
また、本実施の形態では、風域分布４が開口部５あるいはエアーカーテン１６にはかからず、ショーケース２の前面の通路６には及ぶようにしているので、省エネ運転ができ、しかもショーケース２のエアーカーテン１６よりの漏れ冷気１５を風域分布４が攪拌して店舗１内の空気と混合して通路６の寒さによる不快感も解消できる。また、風域分布や風速などを調整することによって店舗１内の床面のほこりなどが舞い上がらないようにすることは可能である。したがって、お客様が快適に買い物などができる環境にすることが可能となる。
【００５８】
また、２０は換気扇、２１は扇風機であり店舗１内に設置され、店舗１内の空気を入れ替えたり、店舗１内の空気を循環させるのに使用される。店舗１の広さなどの制限によって上述したように空調装置の吹き出し口３から吹き出される空気の風域分布４がショーケース２の開口部５あるいはエアーカーテン１６にかからないように設置できない場合は、換気扇２０あるいは扇風機２１などを設置することによって吹き出し口３から吹き出される空気の流れ方向を変更し風域分布４が開口部５あるいはエアーカーテン１６にかからないようにすることができる。
【００５９】
したがって、換気扇２０あるいは扇風機２１などを設けることによって風域分布４が開口部５あるいはエアーカーテン１６にかからないように変更することができ、ショーケース２の開口部５内に侵入空気１４が侵入しないので、余分な熱負荷がかからず省エネ運転が可能となる。
【００６０】
また、本実施の形態で示したように、空気吹き出し口３をダクトなどによって店舗１内の天井に設置するようにすれば、ショーケース２のエアーカーテン１６に空気吹き出し口３よりの吹き出し空気の風域分布４がかからないような空気吹き出し口３の設定自由度が広がる。また、床面に到達する風域分布４の風速を適度に調整すれば、床面のごみやほこりなどが室内に舞い上がるのを抑制できる。また、ショーケース２が店舗２内に多数設置されている場合などは、空気吹き出し口のみを設けるダクトタイプにすれば空調装置の空気の吹き出し口のみを店舗内に設置すればよく設置の自由度を広げることができる。また、ショーケースごとに空気吹き出し口を設けることも可能となり、省エネおよびショーケースごとに対応した設置が容易になる。
【００６１】
実施の形態２．
図３に本発明の実施の形態２のショーケースと空調装置の配置方法について示す。図３は本発明の冷蔵・冷凍ショーケースと送風機の設置位置について説明した図であり、実施の形態１で説明した空調装置の吹き出し口の代わりに送風機を用いたものである。図３において、実施の形態１で説明したものと同一のものは同一図番を付して説明は省略する。１１は店舗１内に設置される空調装置の室内機、１２は店舗１外に設置される空調装置の室外機、１３は室内機１１と室外機を接続する冷媒配管、３３は送風機であり、店舗１内の天井に設置されている。
【００６２】
店舗１内は店舗１内に設置された空調装置により冷房、暖房、送風などの運転が行われ、店舗１内の温度が快適になるよう調整される。しかし、店舗１内の上下では１０℃程度の温度差がつくことが多く、暖房の場合、対人位置高さで最適に設定すると天井付近では更に高温となり無駄な暖房能力を使っていた。本実施の形態のように店舗１内の天井に送風機３３を設ければ、店舗１内の温度分布が改善され無駄な暖房能力を使用する必要がなくなる。
【００６３】
さらに、実施の形態１で説明した空調装置あるいは空調装置の空気吹き出し口３より吹き出される空気の風域分布が冷蔵・冷凍ショーケース２の開口部５内のエアーカーテン１６にかからないようにようにしたのと同様に、送風機３３の風域分布３４が店舗１内に設置された冷蔵・冷凍ショーケース２の開口部５あるいは開口部５内のエアーカーテン１６にかからないように送風機３３を設置すれば、ショーケース２の開口部５内に侵入空気１４が侵入しないので、余分な熱負荷がかからず省エネ運転が可能となる。また、送風機３３を店舗１内の天井に配置すれば、送風機の室内への設置の自由度を広げることができ、また、冷蔵・冷凍装置に余分な負荷を与えずしかも冷蔵・冷凍装置以外の場所を快適にすることができる。
【００６４】
また、風域分布３４が開口部５あるいはエアーカーテン１６にはかからないが、ショーケース２の前面の通路６には及ぶように送風機３３を設置すれば、省エネ運転ができ、しかもショーケース２のエアーカーテン１６よりの漏れ冷気１５が滞留するのを風域分布２４が床面のほこりなどが舞い上がらない程度に攪拌して店舗１内の空気と混合するようにすれば通路６での寒さによる不快感も解消できる。
【００６５】
また、実施の形態１で説明した換気扇を設ければ実施の形態１と同様に風域分布３４がエアーカーテン１６にかからないように変更することができ、ショーケース２の開口部５内に侵入空気１４が侵入しないので、余分な熱負荷がかからず省エネ運転が可能となる。
【００６６】
また、ショーケース２が店舗１内に多数設置されている場合などは、本実施の形態のように空調装置の室内機１１とは別に送風機３３を設けるようにすればショーケースごとに送風機３３を設けることも可能となり、室内機をショーケースごとに設ける必要がなくなり、低コスト、省エネおよびショーケースごとに対応した設置が容易になる。
【００６７】
図４は送風機の送風範囲を説明するための風域分布について示した図、図５は風域分布における高さと風速の関係を示した図である。図において、３３は送風機、３４は風域分布である。図４に風域分布図の見方を示しており、送風機３３の直下距離Ｈが４．５ｍの場合であり、斜線で示した部分が送風機３３の直下距離Ｈが４．５ｍのときの送風範囲と風速分布であることをを表している。風速は目盛を付しているように１目盛が１００ｍ／ｍｉｎである。
【００６８】
図５には送風機３３を運転した時の風域分布と距離の関係を示してある。図において、横軸は送風機３３の直下位置よりの送風範囲を、縦軸は送風機３３よりの直下距離Ｈが１．５ｍ、２．５ｍ、３．５ｍ、４．５ｍ、５．５ｍの場合の各高さでの風速を表している。図より送風機３３の羽根からの直下距離Ｈが大きくなるほど風速が低下し送風範囲が大きくなるのが分かる。
【００６９】
また、各高さＨでの風速の強さを変化させた場合の風速分布と送風範囲を高さＨ＝１．５ｍの場合について説明する。微風、弱風、中風、強風と風速を大きくするほど送風範囲、風速分布とも大きくなっているのが分かる。また、５０Ｈｚよりも６０Ｈｚのほうが送風範囲、風速分布とも大きい。すなわち、直下距離Ｈを大きくするほど、また風速を大きくするほど風域分布の半径は大きくなる。
【００７０】
図６は送風機の運転による店舗内上下温度分布の改善効果を表した図である。図において、横軸は室内温度を、縦軸は送風機直下位置での床からの高さを表している。図中のＡで示した曲線は送風機の運転前の店舗内の上下の温度分布と床面からの高さの関係を表している。また、Ｂは送風機運転１分後、Ｃは送風機運転２分後、Ｄは送風機運転３分後の店舗内の上下の温度分布と床面からの高さの関係を表している。
【００７１】
図より送風機運転前は床面温度１７℃、床面からの高さ２．５ｍの位置では２８℃と店舗内の上下で１０℃以上の温度差がついているが、送風機運転後わずか３分後には床面温度２０℃、床面からの高さ２．５ｍの位置では２１℃となり店舗内の上下で１℃の温度差となっており、送風機を運転することにより、店舗内の上下の温度差を大幅に低減でき、快適性を維持できるとともに省エネにもなる。
【００７２】
なお、本実施の形態１及び実施の形態２ではオープンショーケースについて説明したが、ガラス扉付きの開閉タイプのものでも空調装置から吹き出される空気の送風範囲が開口部に設けられたガラス窓にかからないように設置すればガラス扉を介しての熱の授受が少なくて済みまたガラス扉を開けた時の周囲外気の侵入が防止できるので、余分な熱負荷がかからず省エネ効果が得られる。
【００７３】
また、空調装置あるいは送風機との床面までの直下距離をＨ、空調装置あるいは送風機の空気の吹き出し風速をＶ、冷蔵・冷凍装置の前面と空調装置あるいは送風機の床面直下位置までの距離をＬとした時、Ｈが大きい程Ｌも大きくし、Ｖが大きい程Ｌを大きくし空調装置あるいは送風機の送風範囲が冷蔵・冷凍装置のエアーカーテンにかからないようにすれば、異なる天井高さの店舗あるいは設定風量の異なる空調装置あるいは送風機の場合でも最適な空調装置あるいは送風機の設置位置を設定することが可能となり、設置の自由度が広がる。また、床面までの直下距離Ｈ，床面での直下位置とショーケース前面との距離Ｌおよび吹き出し空気の風速Ｖを適正に設定すれば、床面のごみやほこりなどが室内に舞い上がるのを抑制できる。
【００７４】
また、ダクトなどにより空調装置の空気吹き出し口のみを店舗内に設置するようにすれば、空気吹き出し口の設置の自由度がさらに広がり、吹き出し空気の侵入によるショーケースの開口内部の侵入空気負荷が増加させることのない、また、ショーケースの開口部以外には吹き出される空気の送風範囲が及ぶようにでき、ショーケースの開口部以外部分の空調が行え快適な室内を得ることのできる空調装置を得ることができる。
【００７５】
また、実施の形態１あるいは本実施の形態で説明した空調装置あるいは送風機は室内の天井に設置されている場合について説明したが、別に天井でなくても良く側壁でも良い。また、既存の空調装置が室内の天井や側壁に設置してある場合は、床面までの直下距離Ｈ，床面での直下位置とショーケース前面との距離Ｌおよび吹き出し空気の風速Ｖより風域分布が開口部あるいはエアーカーテンにかからない位置にショーケースを設置すればよい。
【００７６】
実施の形態３．
図７、図８に本発明の実施の形態３における照明装置と空調装置の配置および運転方法について示す。図７は本発明の空調装置と照明装置の配置について示した図である。図において、１はスーパーマーケットなどの店舗、２は食品などを開口内部に冷却保存する冷蔵・冷凍ショーケース、５００は店舗１内に設置された照明装置、５０３は照明装置５００への入力を変更して明るさを変更する照明入力制御手段、５１１は店舗１内に設置され、店舗１内の空調を行う空調装置、５１３は空調装置の運転状態を把握し運転ＯＮ／ＯＦＦ、運転モード、風量、風向きなどを制御する空調装置運転制御手段、５３３は店舗１内の天井に設置され店舗１内の温度分布の改善をおこなうための送風機、５４３は送風機５３３の運転状態を把握し、運転ＯＮ／ＯＦＦ、回転数などの制御を行う送風機運転制御手段、５５０は照明装置５００の近傍の空気温度あるいは天井温度を検出する温度検出手段である。
【００７７】
図８は照明の周囲温度と光束変化率の関係を表した図であり、横軸に照明装置５００に使用されている蛍光灯の周囲温度を、縦軸に光束の変化率を表してある。通常、蛍光灯は、ガラス管内の水銀蒸気圧が周囲温度の変化によって変わるため、紫外線の発生効率が変わって光束が変化する。光束が変化することは、すなわち明るさが変化することを表している。図において、光束変化率が１００％のときが明るさが一番明るくなることを表す。
【００７８】
図において実際に使用されている蛍光灯の周囲温度と光束変化率の関係を表した一例を図中の実線Ａと点線Ｂで表される２本の曲線で示してある。実線Ａで表した蛍光灯Ａの場合は、周囲温度が約２６℃で光束変化率が１００％となり、点線Ｂで表された蛍光灯Ｂの場合は、周囲温度が約２２℃で光束変化率が１００％となっており、この周囲温度のときが最適な周囲温度であり照明の効率としては一番効率が良いことを示している。どちらの場合も、この最適な周囲温度から周囲温度がずれれば急激に光束変化率が小さくなり効率も極端に悪くなることがわかる。
【００７９】
また、図９は照明装置と空調装置の運転制御フローチャートを表した図である。図において、ＳＴＥＰ１はスタート、ＳＴＥＰ２は温度検出手段５５０による照明装置近傍の空気温度又は天井温度を検出する温度検出ステップ、ＳＴＥＰ３は空調装置運転制御手段５１３あるいは送風機運転制御手段５４３にてＳＴＥＰ２で検出した温度があらかじめ設定された温度範囲内かどうかを比較するステップ、ＳＴＥＰ４は空調装置制御手段５１３あるいは送風機運転制御手段５４３よりの設定温度範囲内かどうかの比較温度情報をもとに照明入力制御手段５０３により照明への入力を変更するステップ、ＳＴＥＰ５はＳＴＥＰ４にて変更された入力に応じて照明の明るさを変更するステップ、ＳＴＥＰ６は空調装置制御手段５１３あるいは送風機運転制御手段５４３よりの設定温度範囲内かどうかの比較温度情報をもとに空調装置（送風機含む）の運転をＯＮ（あるいはＯＦＦ）にするステップ、ステップ７は空調装置５１１の吹き出し空気の風向きを照明装置の方向に向けるステップである。
【００８０】
したがって、ＳＴＥＰ２で温度検出手段５５０によって照明装置近傍の温度を検出し、ＳＴＥＰ３で検出した温度をもとに空調措置運転制御手段５１３あるいは送風機運転制御手段５４３にてあらかじめ設定された温度範囲と比較し、ＳＴＥＰ４で設定温度範囲内であれば照明入力制御手段５０３にて照明入力を低減させ、明るさを問題とならないレベルまで暗くすることによって省エネ運転を行う。
【００８１】
ここで、あらかじめ設定された温度とは、図８に示した照明の周囲温度と光束変化率の関係の図より使用する蛍光灯に合わせて光束変化率が極端に悪くならない範囲（たとえば３?５％程度の光束変化率が低下する範囲）の温度帯に設定する。この設定温度帯は使用する場所、使用する時間帯などの環境によって暗く感じない範囲内で設置場所ごとに設定すれば良い。そして、この設定温度範囲内に照明装置近傍の温度が入っているときはたとえば最も下限の設定温度（暗く感じない程度の光束変化率のときの温度）のときの光束変化率になるまで照明入力を低減させるなどして省エネ運転を行う。
【００８２】
ＳＴＥＰ２で照明近傍の空気温度あるいは天井温度を温度検出手段５５０にて検出し、ＳＴＥＰ３で温度検出手段５５０にて検出した温度が空調装置運転制御手段５１３あるいは送風機運転制御手段５４３によりあらかじめ設定された温度範囲内かどうか比較する。もし、設定範囲内なら上記にて説明したようにＳＴＥＰ４で照明入力を低減してＳＴＥＰ５で照明装置の明るさを変更し省エネ運転を行うが、設定範囲外の場合は、ＳＴＥＰ６で空調装置運転制御手段５１３あるいは送風機運転制御手段５４３は空調装置の運転ＯＮあるいは送風機の運転をＯＮにする。そしてＳＴＥＰ７で空調装置５１１の吹き出し空気の風向きの一部を図７に５７０を付して示したように照明装置の方向に向けることによって、照明装置近傍の温度があらかじめ設定された温度帯に入るように風量、温度などを制御する。空調装置の空気吹き出し方向の一部を変更するには、空気吹き出し口に設けられる風向制御板を複数枚にしてそれぞれを独立に可変制御可能にしておけば、一部の風向制御板の向きを変更することによって行うことができる。
【００８３】
送風機５３３による店舗１内の温度の改善効果は実施の形態２で説明したとおりであり、図６にて示すように床から２．５ｍの高さで送風機運転前が２８℃で店舗内の上下で１０℃以上の温度差があったのが送風機運転３分後には床から２．５ｍの高さで２１℃まで低下し店舗内の上下で１℃の温度差まで改善されている。したがって、照明装置近傍の温度が設定範囲外の場合は、ＳＴＥＰ６で空調装置５１１あるいは送風機５３３を運転することによって、照明装置近傍の温度が改善されるので、たとえば図８の蛍光灯Ｂを使用することによって光束変化率がほぼ１００％の状態で使用することができるようになり、ＳＴＥＰ４で照明入力の低減を図ることができることを表している。
【００８４】
また、ＳＴＥＰ３の検出した温度が設定温度範囲内かどうかを比較するステップを省略し、ＳＴＥＰ３の代わりにＳＴＥＰ３３（図示せず）であらかじめ図８で示した周囲温度と光束変化率の関係および別途調査した光束変化率と必要な明るさを得るための入力値の関係の両方を記憶する温度入力記憶手段を有するようにしＳＴＥＰ２で検出された温度情報をもとに最適な照明装置の入力を演算するようにしておけば、ＳＴＥＰ２で温度検出手段５５０により検出された温度に基づいて、ＳＴＥＰ３３で温度入力記憶手段により最適な入力値を演算して照明入力制御手段５０３に通知し、ＳＴＥＰ４で温度入力記憶手段よりの情報に基づいて照明入力制御手段５０３が照明装置５００への入力を変更するようにすることができる。
【００８５】
したがって、ＳＴＥＰ２で温度検出手段５５０より検出された温度に基づいてＳＴＥＰ３３で照明装置の最適な入力値を演算して、ＳＴＥＰ４で照明入力制御手段５０３により照明装置５００の入力を変更し、ＳＴＥＰ５で照明装置の明るさを変更することができるので、照明装置が室内のみでなく空調装置あるいは送風機による温度改善効果が得られない室外（屋外）に設置された場合でも暗く感じることがなく最適な明るさが得られ、無駄な入力を要しない低コストで省エネルギーな照明装置を得ることができる。
【００８６】
図１４は照明装置の初期照度補正の原理を示した図である。図において、横軸は照明装置を設置してから点灯した累積時間を、縦軸に照度を表す。照明装置はあらかじめ設定された設計照度（充分な明るさが得られる照度）があり、本図の場合は設計照度を７０％とした場合の最初に点灯したときよりの累積点灯時間と照度の関係を表したものである。図より照明装置は設置してから初期のうちは適正照度（７０％）よりも明るすぎ（図中の斜線で示した部分が無駄な明るさの部分）、無駄な電力を使用していることがわかる。
【００８７】
従って、店舗１内に照度検出手段（図示せず）を設けて照度を測定し、照明装置５００の照明入力制御手段５０３が測定された照度をもとに入力を低減して明るさを調整するようにすれば、初期の無駄な明るさによる無駄な電力を消費しなくて済む。また、常に照度検出手段よりの照度と比較して照明入力を調整しても良いが、照明入力制御手段５０３のマイコンなどに内蔵されているタイマーによって点灯時間を累積し、図１４の点灯時間と照度の関係をあらかじめ照明入力制御手段５０３に制御データとして持っておくことにより、照度検出手段がなくても、点灯時間により照明入力を変更して明るさを調整することもできる。そうすると、照度検出手段を別途設けるコストアップに加え、店舗１内に設置する手間が省ける。
【００８８】
また、上述した温度検出手段５５０により検出された照明装置近傍の温度に基づいて照明入力制御手段５１３にて照明装置の入力を低減させる制御に、初期照度補正による照明入力低減制御を合わせて制御すれば、更なる入力低減が行え、更なる省エネルギー効果が得られる。すなわち、ＳＴＥＰ３３で温度入力記憶手段により最適な入力値および点灯時間により最適な入力値を演算するようにしておけば良い。
【００８９】
次に照明装置５００への動力の供給方法について説明する。コンビニエンスストアなどの店舗１では、動力系統の分電盤に接続される空調装置電源、冷蔵・冷凍装置（ショーケースを含む）電源などの低圧電力契約（２０ＫＷ）と、電灯系統の分電盤に接続される売り場照明電源、サイン看板・駐車場照明電源、店頭看板電源、保温ケース電源、その他の電灯電源などの時間帯別電灯契約（２５ＫＶＡ）の２系統の動力系統と契約して利用している場合が多い。従来は一方の系統に余剰電力があってももう一方の系統に切り替えたり、一方の系統の電力の供給が停止した場合などにもう一方の系統に切り替えたりすることはできないが、図１６、図１７にて異系統の電力に余剰電力がある場合や異系統の電力の供給が停止した場合の別の系統へ動力を切り替えて使用する方法について説明する。
【００９０】
図１６は照明装置５００への動力の切り替え方法についての説明図、図１７は電池を電力供給源として使用する場合の動力の切り替え方法についての説明図である。図１６において、８０１は２００Ｖの三相電源、８０２は２００Ｖの単相電源、５００は店舗１内に設置された照明装置、８１１は三相電源８０１に接続された空調装置、８１２は単相電源８０２に接続された電気機器、８２０は三相電源８０１と単相電源８０２の切り替えを制御する系統切替制御回路、８２５はスイッチ回路８３１乃至８４２を有する電源切替回路である。
【００９１】
系統切替制御回路８２０は、分電盤などに設けられ各電力系統（本実施の形態の場合は三相電源８０１および単相電源８０２の二系統）の消費電力を検知する消費電力検知手段、あらかじめ電力系統別の契約電力量、時間別、季節別の電力料金を記憶する従量料金記憶手段および消費電力検知手段によって検知した消費電力を従量料金記憶手段を参照して契約電力量を超えていないか及び契約電力量と消費電力量の残差の演算及びどの電力系統の使用料が安いかなどを判断しどの電力系統の電力を使用した方がよいかを指示する余裕電力演算手段により構成されている。余裕電力量演算手段がある電力系統の消費電力が契約電力量を超過すると判断した時は、電源切替可能な機器に対して契約電力量に余裕のある電力系統に切り替えるように電源切替回路８２５に指示を出す。
【００９２】
電源切替回路８２５は、系統切替制御回路８２０の指示により各スイッチ回路をＯＮ／ＯＦＦすることによって系統を切り替える。三相電源８０１の方を使用した方が良い場合はスイッチ回路８３７乃至８４２をＯＮにして、スイッチ回路８３１乃至８３６をＯＦＦにする。逆に単相電源８０２の方を使用した方が良い場合はスイッチ回路８３１乃至８３６をＯＮにして、スイッチ回路８３７乃至８４２をＯＦＦにする。また、系統切替制御手段８２０が一方の系統の電力が停止したと判断した場合も、系統切替制御手段８２０は電源切替回路８２５に指示を出し、電源切替回路８２５は停止していない方の系統に接続するようにスイッチ回路を切り替える。
【００９３】
したがって、照明装置５００の電源に対して電力料金の安い系統を選択したり、契約電力を超えないように系統を選択するので、トータルで考えて低コストな照明装置を得ることが可能となる。また、一方の系統の電力の供給が停止した場合でも、別系統から供給できるので、夜間でも照明が確保でき安全に作業などが続行できる。
【００９４】
図１７において、８０１は２００Ｖの三相電源、８０２は２００Ｖの単相電源、５００は店舗１内に設置された照明装置、８１１は三相電源８０１に接続された空調装置、８１２は単相電源８０２に接続された電気機器、８５１、８５９はダイオードなどで構成され交流を直流に変換する整流回路、８５２、８５８はスイッチング素子などから構成されるインバータ回路、８５４は蓄電池、８５５は充放電回路であり、蓄電池８５４へのエネルギー蓄積や蓄電池８５４からのエネルギー放出を行う。また、充放電回路８５４は蓄電池電圧を検出しながら直流の母線電圧値を蓄電池８５４の充電に適した目標電圧に一致させるように制御を行う。８５６、８５７、８６０はスイッチ回路で接続線の接点をＯＮ／ＯＦＦして接続線を通電／切断することによって通電される回路を切り替える。
【００９５】
三相電源８０１より供給された交流電源は整流回路８５１により直流に変換され、インバータ回路８５２にて必要電圧にして空調装置８１１などに供給され、電気機器８１２には単相電源８０２がそのまま供給される。照明装置５００には図１６にて説明した系統切替制御回路８２０のどの電力系統の電源を使用するかの指示により電源切替回路８２５の各スイッチ回路がＯＮ／ＯＦＦすることによって接続される電力系統が決まる。たとえば三相電源８０１を使用する場合は、スイッチ回路８５６と８５７をＯＮにし、スイッチ回路８６０はＯＦＦとする。また、単相電源８０２を使用する場合は、スイッチ回路８６０をＯＮとしスイッチ回路８５７をＯＦＦとする。
【００９６】
また、停電などで電力の供給が停止した場合や供給電力の電圧が下がった場合は、蓄電池８５４により電力を供給する。たとえば、三相電源８０１および単相電源８０２の両方の電力の供給が停止した場合や三相電源８０１のみの電力の供給が停止した場合、系統切替制御回路８２０は、スイッチ回路８５６、８５７をＯＮ，スイッチ回路８６０をＯＦＦにして充放電回路８５５に蓄電池８５４にエネルギーを放出するように指示を出す。充放電回路８５５は蓄電池８５４より空調装置８１１及び照明装置５００に電力を供給する。また、単相電源８０２の電力の供給が停止したときは、系統切替制御回路８２０は、スイッチ回路８５７をＯＮ，スイッチ回路８５６、８６０をＯＦＦにして充放電回路８５５に蓄電池８５４にエネルギーを放出するように指示を出す。充放電回路８５５は蓄電池８５４より照明装置５００に電力を供給する。また、蓄電池８５４の充電は深夜電力などの電力料金が安価な時間帯に行われる。
【００９７】
したがって、蓄電池を備えたことによって、供給電圧が停止したり、電圧が下がって使用できない場合などでも、電力を供給することができ、しかも低コストの動力系統を使用するので、低コストで信頼性の高い空調・照明システムを得ることができる。また、実施の形態１あるいは実施の形態２で説明した空調装置と冷蔵・冷凍装置の配置方法に、温度検出手段５５０により検出された照明装置近傍の温度に基づいて照明入力制御手段５１３にて照明装置の入力を低減させる制御、図１４にて説明した照明装置の初期照度補正制御および図１６、図１７にて説明した電源切替制御を組み合わせれば、店舗全体としての更なる省エネルギー効果が得られ、低コストで省エネルギーな熱機器システムあるいは空調・照明システムが得られる。
【００９８】
本実施の形態では２００Ｖの三相電源８０１と２００Ｖの単相電源８０２の電源を例にして説明したが、照明装置５００が１００Ｖと２００Ｖの共用対応であれば２００Ｖの電源と１００Ｖの電源であっても電源を切り替えることによって同様の効果が得られる。また、本実施の形態では照明装置５００に対しての電源切替について説明したが、別に照明装置のみに適用されるものではなく、異仕様の電源に対応する機器（たとえば１００Ｖと２００Ｖの両方に対応できる機器）であれば同様の効果が得られる。また、空調装置８１１の代わりに冷蔵・冷凍装置であっても良い。また、系統切替制御回路８２０および電源切替回路８２５は分電盤内に設けても良いし、各分電盤以外に別途設けても良いし、また、実施の形態４で説明するコントローラ２００内に設けてもよい。
【００９９】
実施の形態４．
本発明の実施の形態４について図１０、図１１、図１２、図１３を用いて説明する。図１０は本発明の実施の形態４を表す店舗内の空調装置とショーケースの設置例であり店舗を上から見た図である。図において１は店舗、１０１、１０２、１０３は開口部を有する冷蔵・冷凍ショーケースであり、その開口内部には食品などを冷却保存するため、開口内部の温度を検出して冷却不足かどうかを判断するための温度検出手段１４１、１４２、１４３がそれぞれに設けられている。１１１は空調装置の室内側熱交換器、１１２、１１３は空調装置の空気吹き出し口であり、室内側熱交換器１１１とそれぞれダクト１２２、１２３により接続されている。
【０１００】
１２１は空調装置の室内側熱交換器１１１に設けられた制御基板であり、制御手段及び通信インターフェースにより構成されている。１３１、１３２、１３３はショーケース１０１、１０２、１０３にそれぞれ設けられた制御基板であり、制御手段及び通信インターフェースにより構成されており、制御手段はショーケース１０１、１０２、１０３にそれぞれの開口部５内あるいは背面の風路１７内に設けられた温度検出手段１４１、１４２、１４３により検出された温度により冷却不足かどうか判断したり、また、温度検出手段１４１、１４２、１４３により検出された温度により設定温度内になるように運転制御したりする。
【０１０１】
２００はコントローラであり、ショーケース１０１、１０２、１０３や室内熱交換器１１１の制御基板１２１、１３１、１３２、１３３を介してショーケースや空調装置に電力を供給する電灯線１５１、１５２、１５３、１５４により接続されている。
【０１０２】
図１１は本実施の形態４を表す空調装置と照明装置の店舗内の設置例であり店舗を上から見た図である。図において、２０１、２０２、２０３は店舗１内の天井に設けられた空調装置の空気吹き出し口、２２１乃至２２６は店舗１内の天井に設けられた照明装置、２１１、２１２、２１３は空気吹き出し口２０１、２０２、２０３にそれぞれ設けられた制御基板であり、制御手段及び通信インターフェースにより構成されている。また、２３１乃至２３６は照明装置２２１乃至２２６にそれぞれ設けられた制御基板であり、制御手段及び通信インターフェースにより構成されている。
【０１０３】
２５１乃至２５６は照明装置２２１乃至２２６のそれぞれの近傍に設けられた温度検出手段であり、照明装置近傍の空気温度あるいは照明装置近傍の天井温度を検出する。また、温度検出手段は空調装置の空気吹き出し口に設けられた制御手段に接続されており、常時あるいは必要時に検出した温度情報を提供する。また、２００はコントローラであり、空気吹き出し口２０１、２０２、２０３および照明装置２２１乃至２２６の制御基板２１１、２１２、２１３、２３１乃至２３６と各機器に電力を供給する電灯線２７１乃至２７９により接続されている。
【０１０４】
図１２は本発明の実施の形態４の一例を示す通信手段を表す回路図である。図に示すように電灯線などの通信手段を用いてネットワークを構成することによって、店舗１内に設置された冷蔵・冷凍ショーケースが冷却不足の場合、通信手段にてショーケースの異常を外部のサービスセンタなどへ通報可能とするものである。また、照明近傍温度を検出して空調装置の空気吹き出し方向の一部を照明装置の方向に変更して照明装置近傍の温度を調整したり、照明近傍温度を検出して照明近傍温度に応じて照明装置への入力を低減可能にしたりすることが可能となる。
【０１０５】
図１２には通信手段として空調装置やショーケースに電力を供給する電灯線を使用した場合の回路図の一例を示してある。図において、３００は冷凍装置の制御基板であり図１０で説明した制御基板１３１、１３２、１３３と同仕様のものであり、図１２には代表して示した。冷凍装置の制御基板３００は制御手段３１０および通信インターフェイス３１１を搭載しており制御手段３１０の信号を通信インターフェイス３１１を通して電灯線に接続している。通信インターフェイス３１１は例えば通信手段３１２、変・復調手段３１３、結合手段３１４により構成されている。また、２００はコントローラであり各店舗の屋外あるいは屋内に設置され通信インターフェイス３７０及びマイコン（制御手段）３７２およびモデム３７１を搭載している。また、３７３は電話局、３７５はサービスセンタ、３７４は携帯電話である。
【０１０６】
３３０は空調装置の制御基板であり図１０に示した制御基板１２１および図１１に示した制御基板２１１、２１２、２１３と同仕様のものであり、図１２には代表して３３０にて示した。空調装置の制御基板３３０は制御手段３４０および通信インターフェイス３４１を搭載しており制御手段３４０の信号を通信インターフェイス３４１を通して電灯線に接続している。通信インターフェイス３４１は例えば通信手段３４２、変・復調手段３４３、結合手段３４４により構成されている。また、３５０は照明装置の制御基板であり図１１に示した制御基板２３１、２３２、２３３、２３４、２３５、２３６と同仕様のものであり、図１２には代表して３５０にて示した。照明装置の制御基板３５０は制御手段３６０および通信インターフェイス３６１を搭載しており制御手段３６０の信号を通信インターフェイス３６１を通して電灯線に接続している。通信インターフェイス３６１は例えば通信手段３６２、変・復調手段３６３、結合手段３６４により構成されている。
【０１０７】
通信手段３１２、３４２、３６２はコントローラ２００より発信された自分宛の受信電文を選別して内容を制御手段３１０、３４０、３６０へ送信する。また、逆に制御手段３１０、３４０、３６０の指示により送信電文を組み立ててコントローラ２００へ送信する。送信電文はたとえば発信元アドレス、送信先アドレス、内容（たとえばショーケース冷却不良）などで構成されれいる。変・復調手段３１３、３４３、３６３はデジタル信号をアナログ信号へ、また、アナログ信号をデジタル信号へデータを決められた変調方式により変調する変調回路である。変調方式としてはたとえば振幅変調方式あるいは位相変調方式が使用される。電灯線通信周波数帯は５０ｋＨｚ?４５０ｋＨｚである。３１４、３４４、３６４はトランスなどを含み信号の絶縁を行う結合手段であり、電灯線に制御手段３１０、３４０、３６０の信号を伝達したり、あるいは制御手段３１０、３４０、３６０の信号を電灯線に伝達する。
【０１０８】
電灯線に伝わった信号は屋内あるいは屋外に設けられた通信インターフェイス３７０を備えたコントローラ２００によりモデム３７１、電話局３７３などを通して電話回線や衛星回線などにより外部のサービスセンタ３７５あるいは携帯電話３７４などへ連絡される。図に示したように複数台電灯線に接続されていてもコントローラ２００は電文がどの機器から発信されたものかを送信元アドレスより判断するためどの機器でどのような命令が発信され、または実行されているか、あるいはどの機器にどのような異常が発生しているかなどを判断できる。また、送信先アドレスに対応する機器に内容を伝達することによって、送信先アドレスに対応する機器の制御手段により各機器が制御される。
【０１０９】
図１３は冷蔵・冷凍装置と空調装置の運転制御フローチャートを表した図である。図においてＳＴＥＰ１１はスタート、ＳＴＥＰ１２はショーケース１０１，１０２，１０３の食品等が冷却保存される開口部内あるいは背面風路の温度を検出する温度検出ステップ、ＳＴＥＰ１３はＳＴＥＰ１２にて検出した温度により冷却不足かどうかなどの異常を判断する判断ステップ、ＳＴＥＰ１４は空調装置をＯＮして冷房モードで運転する空調装置運転ステップ、ＳＴＥＰ１５は空調装置の空気吹き出しの風域分布がショーケース１０１、１０２、１０３の開口部にかかるようにする風域分布変更ステップ、ＳＴＥＰ１６は冷却不足であることを外部に連絡する通報ステップ、ＳＴＥＰ１７は空調装置がＯＮのときの空気吹き出しの風域分布がショーケース１０１、１０２、１０３の開口部にかからないようにする風域分布調整ステップである。
【０１１０】
通常はＳＴＥＰ１２にて開口部内あるいは背面風路内の温度を検出して、ＳＴＥＰ１３にて冷却不足かどうかを判断し、冷却不足でないと判断した場合は、ＳＴＥＰ１７にて実施の形態１あるいは実施の形態２で説明したように空調装置の空気吹き出しの風域分布がショーケース１０１、１０２、１０３の開口部にかからないように空気吹き出し方向を調整する。しかし、ＳＴＥＰ１３にて冷却不足と判断した時は、ＳＴＥＰ１４にて空調装置の電源をＯＮにして冷房モードにて運転し店舗１内を冷却する。さらにＳＴＥＰ１５にて空調装置の空気吹き出し方向を変更して風域分布がショーケース１０１、１０２、１０３の開口部にかかるようにする。そしてＳＴＥＰ１６にてショーケースが冷却不足であることを店舗１の外部（サービスセンタ３７５や携帯電話３７４など）に連絡する。
【０１１１】
ショーケース１０１あるいは１０２あるいは１０３のいずれかがガス漏れなどによって冷却不足になり図１０に示した制御基板３００（図１０では１３１、１３２、１３３）の制御手段３１０がＳＴＥＰ１３にて冷却不足と判断した場合、制御手段３１０は冷却不足であることを表す識別信号を空調装置宛に出力する。この識別信号が通信インターフェイス３１１を介して電灯線に載ってコントローラ２００に到達する。コントローラ２００のマイコン３７２は宛先および内容を確認して空調装置宛に冷房モードで運転するように信号を出力する。出力された信号は空調装置の制御基板３３０の通信インターフェース３４１を介して制御手段３４０に到達する。ＳＴＥＰ１４にて制御手段３４０は到達した信号に基づいて空調装置をＯＮし、冷房モードで店舗内を冷却する。さらに、制御手段３４０はＳＴＥＰ１５にて空調装置の空気吹き出し方向を変更して風域分布がショーケース１０１、１０２、１０３の開口部にかかるようにする。空調装置の空気吹き出し方向を変更するには、空気吹き出し口に設けられる風向制御板を可変制御可能にして風向制御板の向きを変更することによって行うことができる。
【０１１２】
したがって、冷蔵・冷凍装置が冷却不足になっても冷蔵・冷凍装置の設置してある室内が冷却されるため、冷蔵・冷凍装置の開口部内に冷却保存されている食品等の損傷が抑制できる熱機器システムが得られる。また、空調装置の送風範囲が冷蔵・冷凍装置の開口部にかかるように変更すれば、空調装置の冷却された空気が直接冷蔵・冷凍装置の開口部内に冷却保存されている食品などに当たるため開口部内に当てずに室内を冷却する場合に比べて食品等の損傷がさらに抑制できる熱機器システムが得られる。
【０１１３】
さらに、コントローラ２００のマイコン３７２は外部サービスセンタ３７５及び携帯電話３７４宛に信号を出力する。出力された信号はモデム３７１を介して電話線あるいは無線あるいは衛星などの通信手段により電話局３７３に届き、サービスセンタ３７５や携帯電話３７４にショーケースが冷却不足であることが通報される。
【０１１４】
通報されたサービスセンタ３７５は直ちにショーケース１０１、１０２、１０３の運転状態を監視し、客先と連絡確認の上、ショーケースの運転を停止させたり、冷却不足の発生したショーケースの設置されている店舗に出張するなどのサービスを実施する。従って冷却不足と判断された時には即座にサービスセンタ３７５よりのサービスが受けられるのでショーケース１０１，１０２，１０３内の各開口部内に保存された食品等への影響も最小限に抑えられ、さらにサービスセンタ３７５のサービスマンが到着するまでの間、店舗内を冷房して冷却するようにしたので、夜間や休日など特に無人の場合でも各開口部内に保存された食品等への影響がさらに小さく抑えられ信頼性の高い熱機器システムが得られる。さらに通信手段として既存の電灯線を使用するようにしたので特別な配線を必要とせず安価にできる。
【０１１５】
また、サービスセンタ３７５へ通報するとともに携帯電話３７４にも通報するようにしたので、外出先でもショーケース１０１、１０２、１０３の異常が確認でき早急に対応可能となる。さらに、サービスセンタ３７５または携帯電話３７４にショーケース１０１、１０２、１０３および空調装置１２１の運転状態（たとえば圧縮機は運転中か、設定温度および現在の温度は何度かなど）を表示し、サービスセンタ３７５または携帯電話３７４からショーケース１０１、１０２、１０３および空調装置１２１の運転状態を制御（ショーケースあるいは空調装置のＯＮ／ＯＦＦ、設定温度、風量の変更など）できるようにしておけば、冷却不足などショーケースの異常の場合にサービスセンタ３７５または携帯電話３７４からショーケースを停止させ、空調装置をＯＮすることができ、外出先にいながらショーケースの開口部内の食品などの損傷を最小限に抑えることが可能となる。
【０１１６】
さらに、温度検出手段１４１，１４２，１４３が誤動作かどうかを判断するためにしばらく運転して温度検出手段１４１，１４２，１４３の温度の変化を見たり、設定温度を変更したりして確認することができる。したがって、確認後にショーケースや空調装置の運転を制御（ショーケースの運転停止や空調装置の運転開始など）させることができ、誤動作でのショーケースの停止による開口部内に収納した食品の損傷を防止でき、無駄なサービスに出向くこともなくなる。
【０１１７】
また、ショーケースが複数設置されている場合には、ショーケースの開口部内と別のショーケースの開口部内を電磁弁など介して配管やダクトなどで接続しておけば、１つのショーケースが冷却不足になった場合に電磁弁を開にすることによって別のショーケースの開口部内の冷却された冷気を冷却不足になったショーケースの開口部内に送るようにすることもできる。従って、ショーケースが冷却不足と判断されたときは、冷却不足と判断されたショーケースと接続されている配管やダクトの電磁弁を開にしてやれば、サービスセンタ３７５のサービスマンが到着するまでの間、冷却不足と判断されたショーケースの開口部内が冷却不足でない正常なショーケースにより冷却されるので、夜間や休日など特に無人の場合でも開口部内に保存された食品等への影響がさらに小さく抑えられ信頼性の高い熱機器システムが得られる。
【０１１８】
ショーケースは常時電灯線に接続され、かつ常時冷却して開口部内の食品などが損傷しないように運転しているため、ショーケースが故障し冷却不足になると開口内部の食品などが損傷してしまう。したがって、本実施の形態のようにショーケースが設置してある店舗の外部（特に外出先やサービスセンタ）からショーケースの運転状況を確認するようにして、ショーケースの故障時に即座に対応するようにすれば、ショーケースの異常時でもショーケース内の食品などの損傷を最小限に抑えることができ、信頼性の高い熱機器システムを得ることができる。
【０１１９】
さらに、図１１のように照明装置２２１乃至２２６と空調装置の空気吹き出し口２０１、２０２、２０３の制御基板２１１，２１２，２１３を電灯線２７１乃至２７９によって接続すれば、新たに通信用の配線を設ける必要がなく安価にネットワークを組むことができる。また、実施の形態３で説明した照明装置２２１乃至２２６の近傍に設置された温度検出手段２５１乃至２５６により検出した温度をもとに空調措置の制御基板２１１、２２２、２２３に設けられた制御手段３１０にてあらかじめ設定された温度範囲と比較し設定範囲内であれば電灯線を通信手段としてコントローラ２００を介して信号を照明装置に対して送信し、送信された情報に基づいて照明装置２２１乃至２２６の制御基板２３１乃至２３６の制御手段３６０が照明入力を低減させ、明るさが問題とならないレベルまで暗くすることによって省エネ運転を行うことができる。したがって、温度検出手段よりの温度情報をもとに空調装置制御手段により照明装置近傍の温度を改善するために空調装置の運転を制御するようにしたので、照明装置が照明効率の良い温度条件で使用でき、効率のよい空調・照明システムが得られる。
【０１２０】
また、照明装置近傍の空気温度あるいは天井温度を温度検出手段２５１乃至２５６にて検出し、温度検出手段２５１乃至２５６にて検出した温度が空調装置の制御基板２１１，２１２、２１３の制御手段３４０によりあらかじめ設定された温度範囲内かどうか比較する。もし、設定範囲内なら上記にて説明したように照明入力を低減して省エネ運転を行うが、設定範囲外の場合は、空調装置の制御基板の制御手段３４０は空調装置を運転ＯＮ（あるいは送風機の運転をＯＮ）にする。そして空調装置の空気吹き出し口２０１、２０２、２０３よりの風向きの少なくとも一部を照明装置の方向に向けることによって、照明装置近傍の温度があらかじめ設定された温度範囲内に入るように風量、温度などを制御するようにする。
【０１２１】
また、実施の形態３でも説明した照明装置近傍の温度を検出する温度検出手段を照明装置に内蔵させたり、あるいは照明装置のケーシングに設けるようにすれば、別途温度検出手段を設ける必要および取り付ける必要がなくなり低コストで取り付け時間の短縮できる照明システムが得られる。また、空調装置の空気吸い込み口が店舗内の照明装置が設置されている高さと略同じ高さに設置されていれば、照明装置近傍の温度の検出を既存の空調装置の吸い込み温度検出手段にて代用すれば、別途温度検出手段を設ける必要および取り付ける必要がなくなり低コストで取り付け時間の短縮できる空調・照明システムが得られる。
【０１２２】
また、空調装置（あるいは送風機）の運転が開始されている時は、前述のように店舗１内の上下の温度分布が改善され照明装置近傍の温度分布も改善されるので、前述の照明入力制御手段５０３により照明装置２２１乃至２２６の入力を暗くならない程度に照明装置の入力を低減させるように制御すれば、温度検出手段２５１乃至２５６を使用しなくて済むので省エネルギーで低コストな空調・照明システムが得られる。
【０１２３】
また、上記に説明した照明入力の低減、あるいは空調装置の空気吹き出し口よりの風向きの少なくとも一部を照明装置の方向に向ける制御を図１２に示したような電灯線（あるいは無線、電話回線、衛星回線など）によりネットワークを構成すれば、店舗１の外部のサービスセンタ３７５や携帯電話３７４などから変更することも可能である。たとえば、店舗１内の照明入力を低減させ、暗く感じない程度まで明るさを変更し省エネ運転を行う制御を行いたくないときは、携帯電話３７４などから変更することができるので、たとえ店舗１内にいなくても外出先からの変更が可能となり、わざわざ変更のためだけに店舗１に戻ってくる必要がなくなる。さらに、実施の形態３で説明した照明装置の初期補正や照明装置の供給電源の切替および電源に蓄電池を使用することを外部より制御できるようにすれば、外出先にいながら現在の使用電源の状況、蓄電池の充電状況などを把握でき、電源変更や蓄電池の使用などを指示変更できる。
【０１２４】
ショーケースの冷却不足以外の不具合（たとえば空調装置異常（たとえば圧力や温度、モード切り替え不能などの異常）や照明装置異常（たとえば照度異常など）や漏電など）においても同様に通信手段により通報すれば信頼性は一層向上し、安心して使える商品を提供できる。また、外部（サービスセンターや携帯電話など）から照明入力制御手段又は空調装置運転制御手段を制御するようすれば、外出先にいながら照明装置および空調装置を制御でき信頼性の高い空調・照明システムが得られる。また本実施の形態では通信手段に電灯線を使用したが、既存の電話回線やＩＳＤＮ回線を使用したインターネットや電子メール、無線通信、赤外線通信、衛星通信などでも同様の効果が得られる。
【０１２５】
通信手段として無線通信（あるいは赤外線通信）を利用する場合は、コントローラ２００に無線通信（あるいは赤外線通信）用の通信インターフェイス３８０を搭載しておけば無線通信（あるいは赤外線通信）と電灯線通信を併用しても個々の通信インターフェイスがどの機器の電文かを判断してサービスセンタ３７５や携帯電話３７４に通報する。また、逆にサービスセンタ３７５や携帯電話３７４から指示があった場合でもコントローラ２００内のマイコン３７２および通信インターフェイス３７０，３８０によって各機器に指示内容が伝達される。
【０１２６】
また、コントローラ２００に液晶などによるモニターを搭載し、各機器の運転状態を表示したり、モニターを操作することにより各機器の運転状態を変更したり制御したりすることもできる。また、本実施の形態ではコントローラ２００を空調装置、冷蔵・冷凍装置および照明装置とは別に室内あるいは室外に設置するようにしたが、別にする必要はなく、空調装置あるいは冷蔵・冷凍装置あるいは照明装置などに設けるようにしたり、実施の形態３で説明した系統制御切替回路８２０や電源切替回路８２５などと一緒に分電盤内に設けたりすれば別に設けるよりも低コストなネットワークシステムが構築できる。
【０１２７】
実施の形態５．
実施の形態５において店舗内の各機器を管理室などより集中制御する場合について説明する。図１５は店舗内の各機器のネットワークによる通信回路の一例を示す図である。図において、６０１は空調装置の制御手段であり、空調装置センサーよりの情報（少なくとも店内温度センサーにより検出された店内温度、店内湿度センサーにより検出された店内湿度、外気温度センサーにより検出された外気温度、外気湿度センサーにより検出された外気湿度）、店内温度目標値、店内湿度目標値、および空調装置運転モード（冷房、暖房、除湿など）の識別信号を通信インターフェース６１１を介してコントローラ７００に送信したり、コントローラ７００よりの情報や制御内容を受信して運転のＯＮ／ＯＦＦ制御および運転モードの切り替え制御などをおこなう。
【０１２８】
また、６０３は換気装置の制御手段であり、換気扇センサー（少なくとも外気温度センサーにより検出された外気温度、外気湿度センサーにより検出された店外気湿度）よりの情報および換気扇運転モード（ＯＮ／ＯＦＦ，回転数、風量など）の識別信号を通信インターフェース６１３を介してコントローラ７００に送信したり、コントローラ７００よりの情報や制御内容を受信して運転のＯＮ／ＯＦＦ制御および運転モードの切り替え制御などをおこなう。
【０１２９】
コントローラの制御手段７００は、空調装置センサーよりの情報、換気扇センサーよりの情報、目標値、運転モードなどのデータを機器相関物理量として格納する。そしてこれらの機器相関物理量のデータに基づき、あらかじめ設定されている外気取り入れ運用アルゴリズムにより目標温湿度点までのエンタルピ差が少なく冷却・除湿すべき負荷が小さくなるような外気取り入れ風量が決定され、この決定された適正風量になるような換気装置の開度変更や回転数変更の制御信号が通信インターフェース６１３を介して換気装置の制御手段６０３に送信され、換気装置の制御手段６０３は、換気装置の外気取りこみ通路の開度変更や回転数の変更を行う。
【０１３０】
また、空調装置の制御手段６０１は、空調装置センサーよりの店内上部温度情報（少なくとも店内上部に設置された店内上部温度センサーにより検出された店内上部温度あるいは空調装置の室内機の吸い込み空気温度センサーにより検出された吸い込み空気温度）の識別信号も通信インターフェース６１１を介してコントローラ７００に送信する。６０２は冷蔵・冷凍装置の制御手段であり、冷蔵・冷凍ショーケース１０１、１０２、１０３に設けられた冷蔵・冷凍装置センサーよりの店内下部温度情報（結露センサーあるいは別途設けた店内下部温度検出センサーあるいは空調装置の室内リモコンに設けられている温度センサーにより検出された温度を店内下部温度）を、通信インターフェース６１２を介してコントローラ７００に送信したり、コントローラ７００よりの情報や制御内容を受信して運転のＯＮ／ＯＦＦ制御および運転モードの切り替え制御などをおこなう。
【０１３１】
コントローラの制御手段７００は空調装置センサーよりの店内上部温度情報、冷蔵・冷凍装置センサーよりの店内下部温度情報のデータを機器相関物理量として格納する。そしてこれらの機器相関物理量のデータに基づき、あらかじめ設定されている店内上下温度改善運用アルゴリズムにより店内上部温度と店内下部温度との差があらかじめ設定された値以上になった場合、空調装置の運転開始や運転モードあるいは送風機の運転開始や運転モードなどの制御情報を通信インターフェース６１１、６１４を介して空調装置の制御手段６０１、送風機の制御手段６０４に送信される。空調装置の制御手段６０１は、受信した制御情報に基づき空調装置の運転ＯＮや運転モード（冷房、暖房、除湿など）の変更などを行い、送風機の制御手段６０４は、受信した制御情報に基づき送風機の運転ＯＮや回転数などの変更を行う。これにより実施の形態１あるいは実施の形態２で説明したように店内上下の温度分布が改善される。
【０１３２】
６０５は室内照明装置の制御手段であり、室内照度センサーよりの室内照度情報の信号を通信インターフェース６１５を介してコントローラ７００に送信したり、コントローラ７００よりの情報や制御内容を受信して照明入力を変更して明るさを調整する調光制御をおこなう。６０６は屋外照明装置の制御手段であり、屋外照度センサーよりの屋外照度情報の信号を通信インターフェース６１６を介してコントローラ７００に送信したり、コントローラ７００よりの情報や制御内容を受信して照明入力を変更して明るさを調整する調光制御をおこなう。
【０１３３】
コントローラ７００は、室内照度センサーよりの室内照度情報および屋外照度センサーよりの屋外照度情報をその日の日時、日の出時刻、日没時刻および天気予報（晴れ、雨など）などの情報とともに機器相関物理量として格納する。そしてこれらの機器相関物理量のデータに基づき、あらかじめ設定されている照明装置制御運用アルゴリズムにより初期照度補正制御および昼光利用制御および点灯・消灯時刻制御をおこなうため、それらの制御内容が通信インターフェース６１５、６１６を介して室内照明装置の制御手段６０５、屋外照明装置の制御手段６０６に送信される。
【０１３４】
初期照度補正制御は、実施の形態３における図１４にて説明した照明装置の設置初期は明るすぎるため入力を低下させ初期照度を低下させることによって、無駄な明るさを無くし入力低減による省エネ効果を得るものである。また、昼光利用制御は、日昼が晴れて室外が一定以上に明るい場合に照明入力を低減し店内照度を低下させることによって、無駄な明るさを無くし入力低減による省エネ効果を得るものである。また、点灯・消灯時刻制御は、その日の年月と店外の明るさの関係データに基づいて屋外の照明装置の点灯・消灯時刻を照度制御タイマーなどにより制御することによって、人手をかけないで自動にて屋外照明装置の点灯・消灯を行うようにするものである。
【０１３５】
室内照明装置の制御手段６０５および屋外照明装置の制御手段６０６は、受信した制御内容に基づいて、初期照度補正制御および昼光利用制御および点灯・消灯時刻制御を行い、省エネを図る。
【０１３６】
また、空調装置に電力を供給する分電盤に空調装置の消費電力を測定する空調装置消費電力センサーを、冷蔵・冷凍装置に電力を供給する分電盤にショーケースや冷凍機などの冷蔵・冷凍装置の消費電力を測定する冷凍装置消費電力センサーを、照明装置に電力を供給する分電盤に照明装置の消費電力を測定する照明装置消費電力センサーをそれぞれ設け、それぞれの消費電力センサーからの消費電力の情報をそれぞれの制御手段６０１、６０２、６０５、６０６に電灯線や無線、赤外線などの通信手段にて送信する。消費電力の情報を受信した各制御手段６０１、６０２、６０５、６０６は電灯線や無線、赤外線などの通信手段にて各消費電力センサーからの情報をコントローラの制御手段７００に送信する。
【０１３７】
コントローラの制御手段７００は、消費電力低減アルゴリズムにより空調装置の消費電力、冷蔵・冷凍装置の消費電力および照明装置の消費電力の総和が最小となるように、店内目標の温度設定値と湿度設定値を空調装置の制御手段６０１に電灯線や無線、赤外線などの通信手段にて通信インターフェース６１１を介して変更指示を出す。また、コントローラの制御手段７００は、あらかじめ設定された目標入力値を超えそうな時は店内あるいは屋外の明るさをあらかじめ設定された暗く感じない限界の明るさに相当する入力値まで低減するように、優先順位をつけて照明装置の制御手段６０５、６０６に通信インターフェース６１５、６１６を介して変更指示を出す。
【０１３８】
また、コントローラの制御手段７００の指示により目標設定温度、目標設定湿度を変更する時、あるいは目標入力を超えそうな時、あるいは照明入力を変更して明るさを変更する時は、コントローラの制御手段７００は、モデム３７１、電話局３７３、モデム３７２を介して集中制御を行う管理室７５０に送信する。管理室７５０は、変更すると困る時は変更しないように変更取り消し指示を出し、変更するのを取り消すこともできる。
【０１３９】
従って、店舗全体としての電力の使用量が把握できるとともに、消費電力量が最小となるように室内温湿度、室内照明の明るさ、屋外照明の明るさを調整、変更するので、店舗全体の電力消費量が低減でき、低コストな消費電力低減システムが得られる。また、電話回線または電灯線または無線などの通信手段によって室外のサービスセンタや携帯電話へ通報または室外より空調機運転制御手段、照明制御手段を制御するようにすれば、即座に室内全体の電力消費量が把握できるとともに、外出先からでも全体の入力値が目標値を超えないように各機器の使用状態を調整・変更できる空調・照明装置が得られる。
【０１４０】
また、コントローラの制御手段７００は、以上のような各機器の運転状態、各種センサーの情報および運転モードなどの情報をモデム３７１、電話局３７３、モデム３７２を介して集中制御を行う管理室７５０に送信する。管理室７５０では各機器の運転状態、各種センサーの情報および運転モードなどの情報により上記で説明した運用アルゴリズム通りに運転をして欲しくないと考えられる時は、いつでも変更できる。また、各運用アルゴリズムを個別に実施しても良いし、組み合わせて実施しても良い。また、実施の形態４で説明したように外部の携帯電話などにも情報を送信するようにしておけば、外出先にいながら各機器の運転状態を把握できるとともに運転の制御・変更も行える。また、制御手段６０１乃至６０６と通信インターフェース６１１乃至６１６とをそれぞれ接続する通信手段、あるいは通信インターフェース６１１乃至６１６とコントローラ７００とを接続する通信手段に実施の形態４でも説明した電灯線、無線、赤外線などを使用すれば既存の配線が使用でき、あらたに専用線を設ける必要がなくなるので安価にネットワークが構築できる効果が得られる。
【図面の簡単な説明】
【０１４１】
【図１】本発明の実施の形態１の冷蔵・冷凍ショーケースと空調装置の設置位置について説明した図である。
【図２】オープンショーケースの熱負荷構成比率を表した図である。
【図３】本発明の実施の形態２のショーケースと空調装置の配置方法について示した図である。
【図４】本発明の実施の形態２の送風機の送風範囲を説明するための風域分布について示した図である。
【図５】本発明の実施の形態２の風域分布における高さと風速の関係を示した図である。
【図６】本発明の実施の形態２の送風機の運転による店舗内上下温度分布の改善効果を表した図である。
【図７】本発明の実施の形態３の空調装置と照明装置の配置について示した図である。
【図８】照明の周囲温度と光束変化率の関係を表した図である。
【図９】本発明の実施の形態３の照明装置と空調装置の運転制御フローチャートを表した図である。
【図１０】本発明の実施の形態４の店舗内の空調装置とショーケースの設置例であり店舗を上から見た図である。
【図１１】本発明の実施の形態４の空調装置と照明装置の店舗内の設置例であり店舗を上から見た図である。
【図１２】本発明の実施の形態４の通信手段を表す回路図である。
【図１３】本発明の実施の形態４の冷蔵・冷凍装置と空調装置の運転制御フローチャートを表した図である。
【図１４】本発明の実施の形態３の照明装置の初期照度補正の原理を示した図である。
【図１５】本発明の実施の形態５の店舗内の各機器のネットワークによる通信回路の一例を示す図である。
【図１６】本発明の実施の形態３の照明装置への動力の切り替え方法についての説明した図である。
【図１７】本発明の実施の形態３の電池を電力供給源として使用する場合の動力の切り替え方法についての説明図である。
【符号の説明】
【０１４２】
１  店舗、２  冷蔵・冷凍ショーケース、３、空気吹き出し口、４  風域分布、５  開口部、６  通路、７  蒸発機、８  送風ファン、１０  ショーケースの室外機、１１  空調装置の室内機、１２  空調装置の室外機、１３  冷媒配管、１４  侵入空気、１５  漏れ冷気、１６  エアーカーテン、２０  換気扇、２１  扇風機、３３  送風機、３４  風域分布、１０１，１０２，１０３  冷蔵・冷凍ショーケース、１１１  空調装置の室内熱交換機、１１２、１１３  空気吹き出し口、１２１  制御基板、１２２，１２３  ダクト、１３１，１３２，１３３  制御基板、１４１，１４２，１４３  温度検出手段、１５１，１５２，１５３，１５４  電灯線、２００  コントローラ、２０１，２０２，２０３  空気吹き出し口、２１１，２２２，２２３  制御基板、２２１、２２２，２２３，２２４，２２５，２２６  照明装置、２３１，２３２，２３３，２３４，２３５，２３６  制御基板、３００  制御基板、３１０  制御手段、３１１  通信インターフェース、３１２  通信手段、３１３  変・復調手段、３１４  結合手段、３３０  制御基板、３４０  制御手段、３４１  通信インターフェース、３４２  通信手段、３４３  変・復調手段、３４４  結合手段、３５０  制御基板、３６０  制御手段、３６１  通信インターフェース、３６２  通信手段、３６３  変・復調手段、３６４  結合手段、３７０  通信インターフェース、３７１  モデム、３７２  マイコン（制御手段）、３７３  電話局、３７４  携帯電話、３７５  サービスセンター、５００  照明装置、５０３  照明入力制御手段、５１１  空調装置、５１３  空調装置運転制御手段、５３３  送風機、５４３  送風機運転制御手段、５５０  温度検出手段、６０１、６０２、６０３、６０４、６０５、６０６  制御手段、６１１、６１２、６１３、６１４、６１５、６１６  通信インターフェース、７００  コントローラ、７５０  管理室。
【図１】
2005308388.tif 000003
【図２】
2005308388.tif 000004
【図３】
2005308388.tif 000005
【図４】
2005308388.tif 000006
【図５】
2005308388.tif 000007
【図６】
2005308388.tif 000008
【図７】
2005308388.tif 000009
【図８】
2005308388.tif 000010
【図９】
2005308388.tif 000011
【図１０】
2005308388.tif 000012
【図１１】
2005308388.tif 000013
【図１２】
2005308388.tif 000014
【図１３】
2005308388.tif 000015
【図１４】
2005308388.tif 000016
【図１５】
2005308388.tif 000017
【図１６】
2005308388.tif 000018
【図１７】
2005308388.tif 000019